(57)【要約】      （修正有）【課題】携帯端末に簡単に着脱できるアドオンパーツを提供する。【解決手段】携帯端末に取り付けられるアドオンパーツ１０は、携帯端末１のボディの裏面２に対面し、面内に再剥離および再粘着性の粘着部分を含む第１の面（取付面）２１と、粘着部分に支持される立体部分２０とを有し、立体部分２０は、指にかかり取付面２１を携帯端末１から剥がす手掛かり部１５を含む。立体部分２０は、装飾部分を含んでいてもよく、クリップ、ミラー、コード巻、ケース、小物入れを含んでいてもよい。【選択図】図１
2015012390.tif 000002
【特許請求の範囲】
【請求項１】
携帯端末に取り付けられるアドオンパーツであって、
携帯端末のボディの一部に対面し、面内に再剥離および再粘着性の粘着部分を含む第１の面と、
前記粘着部分に支持される立体部分とを有し、
前記立体部分は、指にかかり前記第１の面を前記携帯端末のボディの一部から剥がす手掛かり部を含む、アドオンパーツ。
【請求項２】
請求項１において、
前記立体部分は、前記第１の面に対し垂直または鋭角に設けられた面を含む、アドオンパーツ。
【請求項３】
請求項１または２において、
前記立体部分は、クリップ、ミラー、コード巻、ケース、小物入れの少なくともいずれかとして機能する部分を含む、アドオンパーツ。
【請求項４】
請求項１ないし３のいずれかにおいて、
前記立体部分は、ストラップを取り付ける部分を含む、アドオンパーツ。
【請求項５】
請求項１ないし４のいずれかにおいて、
前記第１の面に貼りつけられた両面粘着シートを含み、前記両面粘着シートの前記第１の面に対峙する側は強粘着性であり、反対側は再剥離および再粘着性である、アドオンパーツ。
【請求項６】
請求項１ないし５のいずれかにおいて、
前記粘着部分は、粘着性エラストマーを含む、アドオンパーツ。
【発明の詳細な説明】
【技術分野】
【０００１】
本発明は、携帯電話、スマートフォンなどの携帯端末に装着するパーツに関するものである。
【背景技術】
【０００２】
特許文献１には、指定位置に正しく容易に貼り付けることができる携帯電話機用装飾粘着シールが記載されている。このシールは、フィルムまたはシートの表面に印刷層を設け、また裏面に粘着剤層を設けた粘着フィルムまたはシートの粘着剤層の面に透明な透明剥離材を接着してなり、粘着フィルムまたはシートの外周縁の周囲に切断線を設けて外周剥離領域を形成し、携帯電話機の表面に設けられた各機能部分の位置に相当する各部分の周囲に切断線を設けて機能部分表示領域を形成し、透明剥離材の一部に、２本の一方の端縁から他方の端縁にかけて設けた切断線と端縁により囲まれた位置決め用剥離領域が設けられている。
【先行技術文献】
【特許文献】
【０００３】
【特許文献１】特開２０００−２９９７２２
【発明の概要】
【発明が解決しようとする課題】
【０００４】
携帯電話、スマートフォン、タブレット型、ノート型などの携帯端末の表面あるいは裏面に、新しいタイプの装飾用または他の機能を実現するためのパーツを取り付けることが検討されている。
【課題を解決するための手段】
【０００５】
本発明の一態様は、携帯端末に取り付けられるアドオンパーツである。このアドオンパーツは、携帯端末のボディの一部に対面し、面内に再剥離および再粘着性の粘着部分を含む第１の面と、粘着部分に支持される立体部分とを有し、立体部分は、指にかかり第１の面を携帯端末のボディの一部から剥がす手掛かり部を含む。
【０００６】
アドオンパーツを携帯端末の指定位置に正しく貼りつけることは容易ではなく、再剥離および再粘着可能であることが望ましい。また、アドオンパーツは、ユーザーの好みあるいは用途により携帯端末の異なる場所に付けたり付け替えたりできるものであることが望ましい。さらに、アドオンパーツは、ユーザーの好みにより、あるいは時と場所などにより付け替えられるものであることが望ましい。シート状の装飾パーツであると、再剥離しようとすると、多くの場合はシートの縁、特にコーナーに指をかけて引き剥がす。したがって、その動作が繰り返されると、指がかかって引き剥がされる部分が限られるので粘着面が損傷したり汚れやすく、粘着性が低下する。
【０００７】
本発明のアドオンパーツは、立体部分を含み、さらに、立体部分を携帯端末に面する第１の面内に粘着部分で支持する。したがって、立体部分に手掛かり部（手掛かり形状）を含め、その部分に指をかけて、第１の面あるいは粘着部分に指をかけずに、アドオンパーツを携帯端末に対して再剥離および再粘着を可能にする。手掛かり部は、第１の面に指をかけずにアドオンパーツを引っ張れる形状を備えた部分であればよく、比較的容易に指を引っかけたり、指でつまんだりできる部分を含む。
【０００８】
たとえば、立体部分は、第１の面に対し垂直または鋭角に設けられた面を含む。立体部分のすべてが第１の面に対して鈍角であると、盛り上がりが小さかったり、指が滑ったり、指でつかむ部分がなく立体部分に指をかけてアドオンパーツを引き剥がすことが難しい。立体部分の一部に、第１の面に対して垂直または鋭角なエッジ状の形状や、湾曲した形状などがあれば、それに指を引っかけたり、指でつかむことが容易である。
【０００９】
立体部分は、クリップ、ミラー、コード巻、ケース、小物入れの少なくともいずれかとして機能する部分を含むことも有効である。これらの機能は、装飾効果とともに、あるいは装飾効果とは別にアドオンパーツとして携帯端末に取り付ける効果を含み、さらに、指で引っかける形状を含む。さらに、立体部分は、ストラップを取り付ける部分を含んでもよい。ストラップを取り付ける部分あるいはストラップ自身を指にかけてアドオンパーツを引き剥がすことができる。
【００１０】
アドオンパーツは第１の面が粘着性の樹脂により形成されていてもよく、第１の面に両面粘着シートが貼りつけられていてもよい。両面粘着シートの第１の面に対峙する側は強粘着性であり、反対側は再剥離および再粘着性である。再剥離および再粘着性の粘着部分の好適なものの１つは粘着性エラストマーを含む。粘着性エラストマーとしては、アクリル系、シリコーン系、ウレタン系、オレフィン系のものが知られている。携帯端末側に粘着物質が残ることが少なく、水洗いにより粘着性を回復できるものもある。
【図面の簡単な説明】
【００１１】
【図１】携帯端末の裏面にアドオンパーツを取り付けた様子を示す図。
【図２】図２（ａ）はアドオンパーツの裏面（取付面）を示し、図２（ｂ）はａドンパーツを側方から見た様子を示す。
【図３】異なる端末に異なるアドオンパーツを取り付けた様子を示す図。
【図４】図４（ａ）は、さらに異なるアドオンパーツを取り付けた様子を示し、図４（ｂ）は側方から見た様子を示す。
【発明を実施するための形態】
【００１２】
図１に、携帯端末１のボディ５の裏面２にアドオンパーツ１０を取り付けた状態を示している。図２（ａ）にアドオンパーツ１０の裏面を示している。また、図２（ｂ）にアドオンパーツ１０を側方から見た様子を示している。この携帯端末１は、スマートフォンと称される携帯電話機能を含む端末である。アドオンパーツ１０は全体がリボンの形状をした立体部分２０を含む。立体部分２０は、携帯端末１の裏面２に対面する平坦な面（第１の面、取付面）２１と、取付面２１の縁２１ａからほぼ垂直に立ち上がった側面２２と、側面２２の上端２２ａから上方で緩やかに３次元に湾曲あるいは種々の形状にデザインされた装飾部２５とを含む。
【００１３】
取付面２１には、取付面２１の全体より一回り小さなサイズの両面テープ２９が貼り付けられている。両面テープ２９はＰＥＴフィルムなどの基材の取付面２１の側（取付面２１に対峙する側）の面２９ｂは強粘着性または接着性の面であり、基材の反対側の面２９ａは再剥離および再粘着性の面となっている。したがって、アドオンパーツ１０の取付面２１には、その面内に、両面テープ２９により再剥離および再粘着性の面（粘着面、再粘着面、粘着部分）２９ａが設けられている。
【００１４】
両面テープ２９の強粘着性の面２９ｂは、アクリル樹脂系、ウレタン樹脂系、エポキシ樹脂系などの接着力の高い樹脂が付されており、強粘着性の面２９ｂを予め取付面２１に接着させることにより両面テープ２９をアドオンパーツ１０の立体部分２０と一体化することができる。
【００１５】
両面テープ２９の再剥離および再粘着性の面２９ａの一例は、再剥離可能な程度の弱粘着性を備えた樹脂、たとえば、アクリル樹脂系、ウレタン樹脂系、エポキシ樹脂系などが付された面（塗布された面）である。再剥離および再粘着性の面２９ａの他の例の１つは、粘着性エラストマーによりカバーあるいはコーティングされた面である。粘着性エラストマーとしては、アクリル系、シリコーン系、ウレタン系、オレフィン系のものが知られている。オレフィン系の粘着エラストマーの一例は、非晶質α―オレフィン重合体を含むものである。粘着性エラストマーはゴム系、シリコーン系などであってもよく、粘着性が低下したときに水洗い等により粘着性がある程度復活するものが好ましい。
【００１６】
アドオンパーツ１０の立体部分２０の取付面２１となる箇所を粘着性エラストマーにより形成したり、粘着性エラストマーを接着剤あるいは機械的な方法により立体部分２０と一体になるように取り付けることにより再粘着性の面（粘着部分）２９ａを形成してもよい。
【００１７】
このアドオンパーツ１０は、再剥離および再粘着性の面（再粘着面、再粘着部分）２９ａを備えているので、携帯端末１の裏面２あるいは逆側の表面のいずれにも簡単に取り付けできる。また、アドオンパーツ１０の立体部分２０は取付面２１からほぼ垂直に立ち上がった側面（側壁）２２を備えている。この側面２２は、アドオンパーツ１０を携帯端末１の裏面２に取り付けると、裏面２に対してほぼ垂直、すなわち、裏面２に対する角度θが９０度に立ち上がる面となり、指を引っかけてアドオンパーツ１０を剥がす手掛かり部１５となる。したがって、側面２２に指を引っ掛けることによりアドオンパーツ１０を携帯端末１の裏面２から簡単に取り外しできる。携帯端末１の表面に取り付けた場合も同様である。
【００１８】
このアドオンパーツ１０は携帯端末２のたとえば裏面２の適当な位置に簡単に取り付けでき、簡単に取り外しできる。このため、携帯端末２のユーザーは、自己の美観、携帯端末２の使用場所、アドオンパーツ１０の用途などの要因により、アドオンパーツ１０を、簡単に付けたり、外したり、取り付け位置を変えたりすることができる。
【００１９】
このアドオンパーツ１０は、全体がリボンの形状であり、アドオンパーツ１０は、携帯端末１の裏面２をユーザーの好みに応じて飾る装飾品（デコパーツ）としての機能を持つ。立体部分２０の材質はＰＰ（ポリプロピレン）、ＰＥ（ポリエチレン）、ＰＳ（ポリスチレン）、ＡＢＳ樹脂などで形成され、固く、耐久性も高い。したがって、携帯端末１をテーブルなどの上に置いたときにアドオンパーツ１０はサポート部材として機能し、携帯端末１をユーザーが見やすい角度に保つことができる。さらに、携帯端末１を持ちながら利用するときに、裏面２につけられたアドオンパーツ１０は、滑り止めや、手のひらとのフィット感を高める機能を果たす。特に、このアドオンパーツ１０は、側壁２２が手掛かり部１５となり、抵抗になりやすい形状となっているため滑り止めとしての機能が得やすい。装飾系のアドオンパーツ１０の用途は上記に限定されず、ユーザーが自由に使うことができる。
【００２０】
特に、このアドオンパーツ１０は側面２２が、裏面２に対する角度θがほぼ９０度の垂直な面であり、指をかけて簡単に取り外しできる手掛かり部１５を含む。このため、再粘着面２９ａに手や指をかけずに簡単に取り外しでき、再粘着面２９ａを傷つけたり、汚したりすることが少ない。したがって、再粘着面２９ａの再剥離および再粘着の機能を維持しやすく、ユーザーは、アドオンパーツ１０を、気分により、目的や用途により貼りかえて、携帯端末１の上のアドオンパーツ１０の位置や向きを自由に何度でも変更できる。
【００２１】
アドオンパーツ１０の手掛かり部（手掛かり形状、指掛かり部分）１５は、指を掛けやすい（指が掛けやすい）に位置に、指を掛けやすい大きさ（面積、形状）で設けられていることが望ましい。このアドオンパーツ１０では、リボン形状の立体部分２０の中心のリボンを束ねた部分２６は、両側の広がった部分２７に対して凹んでおり面積も小さく、指が届きにくく、指を掛けにくい。一方、両側の広がった部分２７の側面２２は、広く、指が自然に届き、１または複数の指で触ったり、複数の指で掴んだりしやすく、指を掛けやすい。したがって、広がった部分２７の側面２２をほぼ垂直な面にすることにより、立体部分２０に、アドオンパーツ１０を再剥離するのに適した手掛かり部分（指掛かり部分）１５を導入できる。
【００２２】
携帯端末１に着脱可能な装飾パーツをデザインする場合、取り付けた後は外れ難いこと、手のひらとのフィット感などを考慮して、立体部分２０は全体が滑らかで引っ掛かりやすい部分を極力排除することが予想される。これに対し、このアドオンパーツ１０においては、逆に、立体部分２０に、垂直な面、裏面２との角度θが９０度未満の鋭角な面などの手掛かりになる部分１５を導入して外しやすいデザインとする。再剥離する際に再粘着面２９ａの損傷を予防することにより、再粘着面２９ａの粘着力を維持し、外しやすく、かつ、粘着力が維持できるデザインとしている。すなわち、取付面２１、特に、再粘着面２９ａに触ることなく再剥離できるので取付面２１の粘着性を維持でき、アドオンパーツ１０が再剥離を繰り返しても外れ難くできる。また、手掛かりになりやすい形状をデザインに入れることにより、立体部分２０の輪郭を明確にできるなどの効果が得られるので、より装飾性の高いアドオンパーツ１０を提供できる。
【００２３】
アドオンパーツ１０の裏面（取付面）２１に、一方の面が再吸着または密着可能な面を持つ両面テープ２９を、取付面２１よりも一回り小さいサイズで取り付けると、取付面２１の縁に沿った部分が端末１０の裏面２に対して多少浮いた状態になる。その部分に爪を入れて再剥離することも可能である。また、側面２２の取付面２１の周囲に当たる部分を鋭角な面にすることにより、立体部分２０の端が端末１０の裏面２に対して浮いた状態にすることができ、その鋭角な面を手掛かり部分１５として利用することも可能である。
【００２４】
装飾系のアドオンパーツ１０においては、立体部分２０の形状はリボンに限定されることはなく、植物、動物、キャラクターなど様々な対象物の形状をかたどったものであってもよい。また、立体部分２０は、垂直あるいは鋭角な側面を備えてものでなくてもよく、立体部分２０の全体が、携帯端末１の裏面２あるいは取付面２１（再粘着面２９ａ）に対して鈍角あるいは緩やかに湾曲しているものであってもよい。その場合は、立体部分２０は、その一部に、指が掛けやすい角度、すなわち、垂直または鉛直な面で、指が掛かりやすい大きさ（面積）の手掛かり部（指掛かり形状）を形成する突起、凹み、あるいは凹凸を含むことが望ましい。
【００２５】
図３は、タブレット型の携帯端末１ａのボディ５の裏面２にいくつかのアドオンパーツ１０ａ〜１０ｄを取り付けた状態を示している。図示されていないが、いずれのアドオンパーツ１０ａ〜１０ｄも、取付面２１の面内に再粘着面２９ａが設けられており、再剥離および再粘着が可能である。
【００２６】
アドオンパーツ１０ａは、立体部分２０がクリップ３１を含む。したがって、アドオンパーツ１０ａを用いてメモなどを携帯端末１に保持でき、携帯端末１ａとともに持ち歩きできる。また、このアドオンパーツ１０ａは、クリップ３１の部分が手掛かり部１５を含む。すなわち、クリップ３１は指でつまむことができる構成を備えており、その部分、またはその一部が手掛かり部１５を兼ねる。このため、クリップ３１に指あるいは手を掛けてアドオンパーツ１０ａを携帯端末１ａから剥離でき、再粘着面により、好きな場所に再び取り付けることができる。クリップ３１はフックとして使用することも可能であり、アドオンパーツ１０ａは、クリップ３１の代わりにフックとして機能する立体部分２０を備えていてもよい。
【００２７】
アドオンパーツ１０ｂは、立体部分２０が小物入れ３２を含む。小物入れ３２は、硬質の樹脂製であってもよく、軟質の樹脂製であってもよく、紙製または布製であってもよい。小物入れ３２が軟質の、たとえば、布製であれば、小物入れ３２を指で掴んだり挟んだりしてアドオンパーツ１０ｂを携帯端末１ａから引きはがすことができ、小物入れ３２が手掛かりとなる部分１５を兼ねる。また、小物入れ３２は開閉するためのファスナー３２ａを備えており、ファスナー３２ａにストラップ３２ｃなどを付けて、ストラップ３２ｃを手掛かり部分１５としてアドオンパーツ１０ｂを再剥離できるようにしてもよい。小物入れ３２あるいは立体部分２０にストラップ３２を取り付ける部分３２ｂを設け、そこに取り付けられたストラップ３２ｄを手掛かり部分１５として利用してもよい。
【００２８】
アドオンパーツ１０ｃは、立体部分２０がコンパクト３３を含む。コンパクト３３は、ミラー３３ｃと、ミラー３３ｃを覆う開閉可能なカバー３３ｂとを含む。コンパクト３３はカバー３３ｂを備えていなくてもよい。このアドオンパーツ１０ｃは、ミラー３３ｃの縁や側面を、再剥離用の手掛かり部分１５として利用できる。また、カバー３３ｂに手掛かり部分１５を設けてもよい。
【００２９】
アドオンパーツ１０ｄは、立体部分２０がペンケース３４を含む。ペンケース３４は、ペンケース３４に差し込まれたペン３５を、アドオンパーツ１０ｄの再剥離用の手掛かり部分１５として利用できる。また、ペンケース３４のペンを差し込む部分を手掛かり部分１５として利用してもよい。
【００３０】
図４（ａ）および（ｂ）に、スマートフォン型の携帯端末１の裏面２に異なるアドオンパーツ１０ｅを取り付けた様子を示している。このアドオンパーツ１０ｅも、取付面２１の面内に再粘着面２９ａが設けられており、携帯端末１の裏面２または表面に再剥離および再粘着が可能である。アドオンパーツ１０ｅの立体部分２０はコード巻き３６を含み、イヤホーンコード５０や電源コードを巻いて携帯端末１とともに持ち歩くことができる。コード巻き３６は、アドオンパーツ１０ｅを携帯端末１に対し着脱するための手掛かり部分１５としての機能を含む。コード巻き３６に指を掛けたり、コード巻き３６に巻かれたイヤホーンコード５０を持ってアドオンパーツ１０ｅを携帯端末１から引き剥がし、異なる場所に再粘着することができる。
【００３１】
アドオンパーツ１０の立体部分２０に付与できる機能はこれらに限定されることはなく、キーケース、財布、小銭入れ、カードケース、名刺入れなど、ユーザーが携帯端末とともに持ち歩くのに適した機能を備えているものであればよい。アドオンパーツ１０は再剥離および再粘着が容易にできるので、ユーザーの気分、用途、行き先などにより１つのアドオンパーツ１０の装着位置を変えたり、複数のアドオンパーツ１０を着脱して使い分けたりすることが容易であり、ユーザーの携帯端末１を自由にカスタマイズすることができる。アドオンパーツ１０（１０ａ〜１０ｅを含む）は、スマートフォン型、タブレット型の携帯端末に限らず、折り畳み式の携帯電話、ノートブック型のパーソナルコンピュータなどの携帯端末に取り付けて使用することも可能である。
【符号の説明】
【００３２】
１、１ａ  携帯端末、  １０、１０ａ〜１０ｅ    アドオンパーツ
１５  手掛かり（指がかり）部、  ２０  立体部分
【図１】
2015012390.tif 000003
【図２】
2015012390.tif 000004
【図３】
2015012390.tif 000005
【図４】
2015012390.tif 000006